(57)【要約】      （修正有）【課題】高い断熱性を有する加湿ダクト、および、これを用いた空気調和機を提供する。【解決手段】加湿ホースが直接的に、または、ジョイント部（９０）を介して間接的に接続されるダクト本体部（８０）を備える空気調和機の加湿ダクトにおいて、ダクト本体部（８０）が発泡断熱材からなり、ダクト本体部（８０）の加湿ホースが接続される部分（８５）の加湿ホースに対向する面（８５１）、あるいは、ダクト本体部（８０）のジョイント部（９０）が接続される部分（８５）のジョイント部（９０）に対向する面（８５１）に、発泡断熱材と同一の材料からなる硬化層（８７）を設けた。【選択図】図７
2017083069.tif 000002
【特許請求の範囲】
【請求項１】
加湿ホース（４）が直接的に、または、ジョイント部（９０）を介して間接的に接続されるダクト本体部（８０）を備え、
上記ダクト本体部（８０）が発泡断熱材からなり、
上記ダクト本体部（８０）の上記加湿ホース（４）が接続される部分（８５）の上記加湿ホース（４）に対向する面（８５１）、あるいは、上記ダクト本体部（８０）の上記ジョイント部（９０）が接続される部分（８５）の上記ジョイント部（９０）に対向する面（８５１）に、上記発泡断熱材と同一の材料からなる硬化層（８７）を設けたことを特徴とする空気調和機の加湿ダクト。
【請求項２】
ダクト本体部（８０）と、
上記ダクト本体部と加湿ホース（４）とを接続するジョイント部（９０）とを備え、
上記ジョイント部（９０）が発泡断熱材からなり、
上記ジョイント部（９０）の上記ダクト本体部（８０）が接続される部分（９１）の上記ダクト本体部（８０）に対向する面（９１１）、および、上記ジョイント部（９０）の上記加湿ホース（４）が接続される部分（９２）の上記加湿ホース（４）に対向する面（９５）の少なくともいずれかに、上記発泡断熱材と同一の材料からなる硬化層（９４，９７）を設けたことを特徴とする加湿ダクト。
【請求項３】
請求項１または２に記載の加湿ダクトにおいて、
上記硬化層（８７，９４，９７）は、厚みが１μｍ〜２．０ｍｍであることを特徴とする加湿ダクト。
【請求項４】
請求項１から３のいずれか１つに記載の加湿ダクトにおいて、
上記発泡断熱材が、ポリプロピレン、ポリエチレン、ポリスチレンのうちのいずれか１つの材料からなるか、または、ポリプロピレン、ポリエチレン、ポリスチレンのうちの少なくとも２つの混合材料からなることを特徴とする加湿ダクト。
【請求項５】
請求項１から４のいずれか１つに記載の加湿ダクト（５１，５２）と、
上記加湿ダクト（５１，５２）に加湿空気を供給する加湿装置（３）と、
上記ダクト本体部（８０）または上記ジョイント部（９０）に連結された加湿ホース（４）と、
を備えた空気調和機。
【発明の詳細な説明】
【技術分野】
【０００１】
本発明は、加湿ダクト、および、これを用いた空気調和機に関する。
【背景技術】
【０００２】
従来、空気調和機の加湿ダクトとしては、例えば、特許文献１に記載されたものがある。この加湿ダクトは、給気ホースが接続される入口と、室内熱交換器に加湿空気を吹き出す出口とを有している。
【先行技術文献】
【特許文献】
【０００３】
【特許文献１】特開２００８−１４５０８２号公報
【発明の概要】
【発明が解決しようとする課題】
【０００４】
上記加湿ダクトには、加湿空気が流れるため、防露等の観点から高い断熱性が要求される。しかし、特許文献１を含めた先行技術には、加湿ダクトの断熱性を向上させる有効な提案がなされていない。
【０００５】
そこで、本発明の課題は、高い断熱性を有する加湿ダクトおよびこれを用いた空気調和機を提供することにある。
【課題を解決するための手段】
【０００６】
上記課題を解決するため、本発明の加湿ダクトは、
加湿ホースが直接的に、または、ジョイント部を介して間接的に接続されるダクト本体部を備え、
上記ダクト本体部が発泡断熱材からなり、
上記ダクト本体部の上記加湿ホースが接続される部分の上記加湿ホースに対向する面、あるいは、上記ダクト本体部の上記ジョイント部が接続される部分の上記ジョイント部に対向する面に、上記発泡断熱材と同一の材料からなる硬化層を設けたことを特徴としている。
【０００７】
上記構成によれば、ダクト本体部が発泡断熱材で形成されているので、断熱性を高めることができる。
【０００８】
また、ダクト本体部の加湿ホースが接続される部分の加湿ホースに対向する面、あるいは、ダクト本体部のジョイント部が接続される部分のジョイント部に対向する面に、発泡断熱材と同一の材料からなる硬化層が設けられている。このため、例えば、ダクト本体部を形成する発泡断熱材の発泡率を高くしても、強度を確保することができるので、加湿ダクトの設計の自由度を高めることができる。
【０００９】
また、本発明の加湿ダクトは、
ダクト本体部と、
上記ダクト本体部と加湿ホースとを接続するジョイント部を備え、
上記ジョイント部が発泡断熱材からなり、
上記ジョイント部の上記ダクト本体部が接続される部分の上記ダクト本体部に対向する面、および、上記ジョイント部の上記加湿ホースが接続される部分の上記加湿ホースに対向する面の少なくともいずれかに、上記発泡断熱材と同一の材料からなる硬化層を設けたことを特徴としている。
【００１０】
上記構成によれば、ジョイント部が発泡断熱材で形成されているので、断熱性を高めることができる。
【００１１】
また、ジョイント部のダクト本体部が接続される部分のダクト本体部に対向する面、あるいは、ジョイント部の加湿ホースが接続される部分の加湿ホースに対向する面の少なくともいずれかに、発泡断熱材と同一の材料からなる硬化層が設けられている。このため、例えば、ジョイント部を形成する発泡断熱材の発泡率を高くしても、強度を確保することができるので、加湿ダクトの設計の自由度を高めることができる。
【００１２】
一実施形態の加湿ダクトでは、
上記硬化層は、厚みが１μｍ〜２．０ｍｍである。
【００１３】
上記実施形態によれば、加湿ダクトの設計等に応じて、硬化層の厚みを設定することができるので、加湿ダクトの設計の自由度を高めることができる。なお、厚みが１μｍ未満の硬化層は、形成が困難である。また、厚みが２．０ｍｍを超える硬化層は、射出成形により製造された樹脂成型品等で代用可能である。
【００１４】
一実施形態の加湿ダクトでは、
上記発泡断熱材は、ポリプロピレン、ポリエチレン、ポリスチレンのうちのいずれか１つの材料からなるか、または、ポリプロピレン、ポリエチレン、ポリスチレンのうちの少なくとも２つの混合材料からなっている。
【００１５】
上記実施形態によれば、設計等に応じて加湿ダクトを形成する材料を設定できるので、加湿ダクトの設計の自由度を高めることができる。
【００１６】
本発明の空気調和機は、
上記加湿ダクトと、
上記加湿ダクトに加湿空気を供給する加湿空気供給部と、
上記ダクト本体部または上記ジョイント部に接続された加湿ホースと、
を備えたことを特徴としている。
【００１７】
上記構成によれば、上記加湿ダクトにより、空気調和機の断熱性および設計の自由度を高めることができる。
【発明の効果】
【００１８】
本発明の加湿ダクトは、発泡断熱材で形成されているので、加湿ダクトの断熱性を高めることができる。また、硬化層を設けているので、加湿ダクトの設計の自由度を高めることができる。
【００１９】
本発明の空気調和機は、上記加湿ダクトを備えているので、空気調和機の断熱性および設計の自由度を高めることができる。
【図面の簡単な説明】
【００２０】
【図１】本発明の一実施形態の空気調和機の外観図である。
【図２】図１の空気調和機の全体回路図である。
【図３】図１の空気調和機のブロック図である。
【図４】図１の空気調和機の加湿ダクトの斜視図である。
【図５】図４のV矢視図である。
【図６】図５のVI-VI線に沿った断面図である。
【図７】図６の部分拡大図である。
【図８】本発明の他の実施形態の加湿ダクトの部分拡大図である。
【図９】本発明の別の実施形態の加湿ダクトの斜視図である。
【発明を実施するための形態】
【００２１】
以下、添付図面を参照して本発明の実施形態を説明する。なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００２２】
本発明の一実施形態の空気調和機１００は、図１に示すように、室内機１と、室内機１に冷媒配管５，６を介して接続された室外機２とを備えたペア型の空気調和機である。また、この空気調和機１００では、加湿ホース４を介して室内機１と接続された加湿装置３が室外機２上に設けられている。
【００２３】
室内機１は、図２に示すように、室内熱交換器１５と、室内熱交換器１５に空気を送る室内ファン２０と、加湿ホース４が接続されている室内機側加湿ダクト５１とを有している。また、室内機１には、図３に示すように、室内熱交換器１５の温度を検出する室内熱交換器温度センサＴ４と、室内機１が設置されている室内の温度を検出する室内温度センサＴ５と、室内機１が設置されている室内の湿度を検出する湿度センサＨと、が設けられている。
【００２４】
室内熱交換器１５は、図示しない補助熱交換器および主熱交換器を有し、第１閉鎖弁２１を介して電動膨張弁１４に接続されている。補助熱交換器は、第１閉鎖弁２１を介して電動膨張弁１４に接続され、室内ファン２０による空気流に関して、主熱交換器１５ｂよりも上流側に配置されている。主熱交換器は、第２閉鎖弁２２および四路切換弁１２を介して室内熱交換器１５に接続されている。
【００２５】
室外機２は、図２に示すように、圧縮機１１と、圧縮機１１の吐出側に接続された四路切換弁１２と、四路切換弁１２に接続された室外熱交換器１３と、室外熱交換器１３に接続された電動膨張弁１４と、第２閉鎖弁２２および四路切換弁１２を介して室内熱交換器１５に接続されると共に圧縮機１１の吸入側に接続されたアキュムレータ１６と、室外熱交換器１３に空気を送る室外ファン１０とを有している。また、室外機２には、図３に示すように、室外熱交換器１３の温度を検出する室外熱交換器温度センサＴ１と、外気温度を検出する外気温度センサＴ２と、電動膨張弁１４の蒸発温度を検出する蒸発温度センサＴ３とが設けられている。
【００２６】
上記圧縮機１１、四路切換弁１２、室外熱交換器１３、電動膨張弁１４、室内熱交換器１５、および、アキュムレータ１６は、環状に接続され、冷媒回路ＲＣを構成している。
【００２７】
加湿装置３は、図２に示すように、吸湿ファン４１と、吸着領域４２ａおよび脱着領域４２ｂが設けられた加湿ロータ４２と、ヒータ４３と、ダンパ４４と、加湿ファン４５と、加湿ホース４が接続されている室外機側加湿ダクト５２とを有している。
【００２８】
加湿ロータ４２は、シリカゲル、ゼオライト、アルミナなどの吸着材がハニカム状あるいは多孔多粒状に形成されている。この加湿ロータ４２は、加湿ロータ駆動部４６（図３に示す）を有し、加湿ロータ駆動部４６によって回転可能に設けられている。
【００２９】
また、加湿装置３の内部には、加湿空気を供給するための第１，第２の空気経路６１，６２と、室内機１が設置された室内から送られた空気を排気するための第３の空気経路６３とが設けられている。なお、第２，第３の空気経路６２、６３は、ダンパ４４により切り替え可能になっている。
【００３０】
第１の空気経路６１は、吸湿ファン４１によって加湿装置３の内部に吸い込まれた空気が、加湿ロータ４２の吸着領域４２ａを通り、加湿装置３の外部に排気されるように配置されている。この第１の空気経路６１では、加湿装置３の内部に吸い込まれた空気は、加湿ロータ４２の吸着領域４２ａを通るときに水分を吸着され、乾燥した状態で加湿装置３の外部に排気される。
【００３１】
第２の空気経路６２は、加湿ファン４５によって加湿装置３の内部に吸い込まれた空気が、ヒータ４３で加熱された後、加湿ロータ４２の脱着領域４２ｂを通り、室外機側加湿ダクト５２を介して室内機１に供給されるように配置されている。この第２の空気経路６２では、加湿装置３の内部に吸い込まれた空気は、加湿ロータ４２の脱着領域４２ｂを通るときに、吸着領域４２ａで吸湿された水分により湿度が高められ、加湿された状態で室内機１に供給される。
【００３２】
第３の空気経路６３は、加湿ホース４を介して加湿装置３内に送られた室内機１が設置されている室内の空気が、加湿ファン４５によって、加湿ロータ４２の脱着領域４２ｂおよびヒータ４３を通り、加湿装置３の外部に排気されるように配置されている。
【００３３】
また、空気調和機１００は、図３に示すように、室内機１および室外機２を制御する制御装置７０と、リモートコントローラ（図示せず）とを有している。
【００３４】
制御装置７０は、室内機１側の室内制御部（図示せず）と室外機２側の室外制御部（図示せず）とで構成され、それぞれ、演算等を行うＣＰＵ、室内機１あるいは室外機２の制御に必要なプログラムあるいはデータ等を記憶しておくＲＯＭおよびＲＡＭ等が設けられている。この制御装置７０は、リモートコントローラ、あるいは、室内機１および室外機２の各センサ（室外熱交換器温度センサＴ１、外気温度センサＴ２、蒸発温度センサＴ３、室内熱交換器温度センサＴ４、室内温度センサＴ５、および、湿度センサＨ）からの信号などに基づいて、圧縮機１１、四路切換弁１２、電動膨張弁１４、室外ファン１０、室内ファン２０、表示部３０、吸湿ファン４１、ヒータ４３、ダンパ４４、加湿ファン４５、および、加湿ロータ駆動部４６を制御する。
【００３５】
リモートコントローラは、制御装置７０による室内機１および室外機２の制御内容を変更できる。例えば、リモートコントローラを操作することで、暖房運転、冷房運転および除湿運転の各運転モードの選択、運転開始、運転切り替え、あるいは、運転停止を行ったり、室内温度あるいは風量を設定あるいは変更したりすることができる。
【００３６】
次に、図４〜図７を参照して、室内機側加湿ダクト５１および室外機側加湿ダクト５２を詳しく説明する。なお、室内機側加湿ダクト５１および室外機側加湿ダクト５２は、同様の構成を有している。このため、室内機側加湿ダクト５１についてのみ説明し、室外機側加湿ダクト５２の説明を省略する。
【００３７】
室内機側加湿ダクト５１は、図４に示すように、ダクト本体部８０と、ダクト本体部８０と別体に設けられたジョイント部９０とを備えている。ダクト本体部８０およびジョイント部９０は、発泡断熱材で構成されている。
【００３８】
ダクト本体部８０は、図４に示すように、ジョイント部９０が接続されている第１流路部８１と、第１流路部８１に接続された湾曲形状の第２流路部８２と、第２流路部８２に接続された直線形状の第３流路部８３と、第３流路部８３に接続された直線形状の第４流路部８４とで構成されている。
【００３９】
第１流路部８１の自由端には、図６に示すように、ジョイント部９０が接続されている略円筒形状の雄側継手部８５が設けられている。第２，第３流路部８２，８３は同一の平面上に伸びている。第４流路部８４は、図５に示すように、第２，第３流路部８２，８３が伸びている平面に対して略直交する方向に伸びている。また、第４流路部８４には、室内機１の内部に連通する開口部８６が設けられている。
【００４０】
ジョイント部９０は、図４に示すように、略９０度に折り曲げられた円筒形状を有している。このジョイント部９０は、図６に示すように、ダクト本体部８０の雄側継手部８５に接続された雌側継手部９１と、加湿ホース４が接続される加湿ホース連結部９２と、雌側継手部９１と加湿ホース連結部９２とに接続された湾曲部９３とで構成されている。すなわち、ジョイント部９０は、その一端にダクト本体部８０が接続されており、他端に加湿ホース４が接続される。
【００４１】
図７に示すように、上記室内機側加湿ダクト５１では、ダクト本体部８０の雄側継手部８５の外面８５１とジョイント部９０の雌側継手部９１の内面９１１とに、相互に嵌合可能な環状に伸びる複数の凹凸を設けている。これにより、ダクト本体部８０とジョイント部９０との接続が容易に解除されないようにしている。
【００４２】
また、図７に示すように、ダクト本体部８０の雄側継手部８５とジョイント部９０の雌側継手部９１との互いに対向する面、すなわち、ダクト本体部８０の雄側継手部８５の外面８５１とジョイント部９０の雌側継手部９１の内面９１１とには、それぞれ、ダクト本体部８０およびジョイント部９０を構成する発泡断熱材と同一の材料からなる硬化層８７，９４が全周に亘って設けられている。
【００４３】
硬化層８７，９４は、ダクト本体部８０およびジョイント部９０の他の部分よりも小さい発泡率を有する硬度の高い層であり、例えば、０．１ｍｍの厚さで形成されている。
【００４４】
硬化層８７，９４を備えたダクト本体部８０およびジョイント部９０は、例えば、次のように形成される。
【００４５】
すなわち、まず、使用する発泡断熱材の原料の溶融温度まで金型を加熱し、加熱された金型のキャビティに発泡断熱材の原料を充填する。次に、充填された発泡断熱材の原料の一部を溶融させた後、固化させて、硬化層８７，９４を形成する。硬化層８７，９４が形成された後、充填した発泡断熱材の原料の残部を加熱発泡させると共に溶着させて、ダクト本体部８０およびジョイント部９０の硬化層８７，９４以外の部分を形成する。
【００４６】
このように、上記室内機側加湿ダクト５１は、発泡断熱材で形成されているので、高い断熱性を有している。
【００４７】
また、ダクト本体部８０とジョイント部９０との接続部分の互いに対向する面、すなわち、ダクト本体部８０の雄側継手部８５のジョイント部９０の雌側継手部９１に対向する外面８５１と、ジョイント部９０の雌側継手部９１のダクト本体部８０の雄側継手部８５に対向する内面９１１とに、硬化層８７，９４が設けられている。このため、例えば、ダクト本体部８０およびジョイント部９０を形成する発泡断熱材の発泡率を高くしても、強度を確保することができるので、室内機側加湿ダクト５１の設計の自由度を高めることができる。その結果、空気調和機１００の断熱性および設計の自由度を高めることができる。
【００４８】
なお、硬化層８７，９４は、１μｍ〜２．０ｍｍの範囲の厚さで形成されるのが好ましい。これは、１μｍ未満の厚さの硬化層は、その形成が技術的に困難であり、また、２．０ｍｍを超える硬化層は、射出成形により製造された樹脂成型品等で代用が可能であるため、硬化層８７，９４を設けるインセンティブが少なくなるからである。これにより、室内機側加湿ダクト５１の設計等に応じて、硬化層８７，９４の厚さを設定できるので、室内機側加湿ダクト５１の設計の自由度を高めることができる。
【００４９】
また、室内機側加湿ダクト５１は、例えば、ポリプロピレン、ポリエチレン、ポリスチレンのうちのいずれか１つの材料からなる発泡断熱材、または、ポリプロピレン、ポリエチレン、ポリスチレンのうちの少なくとも２つの混合材料からなる発泡断熱材で形成できる。このように、設計等に応じて室内機側加湿ダクト５１を形成する材料を設定できるので、室内機側加湿ダクト５１の設計の自由度を高めることができる。
【００５０】
（その他の実施形態）
上記実施形態では、ダクト本体部８０の雄側継手部８５とジョイント部９０の雌側継手部９１との互いに対向する面８５１，９１１の各々に、硬化層８７，９４が設けられているが、これに限らない。例えば、ダクト本体部の雄側継手部とジョイント部の雌側継手部との互いに対向する面のいずれか一方に硬化層を設けてもよい。また、ダクト本体部の雄側継手部とジョイント部の雌側継手部との互いに対向する面に加えて、あるいは、これらの面に代えて、図８に示すように、ジョイント部９０の加湿ホース連結部９２の加湿ホース４と対向する外面９５に、硬化層９７を設けてもよい。
【００５１】
すなわち、硬化層は、ダクト本体部の雄側継手部のジョイント部の雌側継手部に対向する第１の面、ジョイント部の雌側継手部のダクト本体部の雄側継手部に対向する第２の面、および、ジョイント部の加湿ホース連結部の加湿ホースに対向する第３の面の少なくともいずれかに設けられていればよく、必要に応じて、室内機側加湿ダクトおよび室外機側加湿ダクトの任意の部分の一部または全部に設けることができる。例えば、ダクト本体部８０の雄側継手部８５の外面全体に硬化層を設けてもよいし、ジョイント部９０の内面９６（図６に示す）の全体に硬化層を設けてもよい。
【００５２】
上記実施形態では、ダクト本体部８０の雄側継手部８５の外面８５１とジョイント部９０の雌側継手部９１の内面９１１とに、相互に嵌合可能な環状に伸びる複数の凹凸を設け、この凹凸によりダクト本体部８０とジョイント部９０とを接続しているが、これに限らない。例えば、ダクト本体部の雄側継手部の外径がジョイント部９０の雌側継手部の内径よりも大きくなるように形成し、雄側継手部を雌側継手部に圧入することによりダクト本体部とジョイント部とを接続してもよい。また、ダクト本体部の雄側継手部の外面とジョイント部の雌側継手部の内面とにねじ山を設け、雄側継手部を雌側継手部にねじ込むことによりダクト本体部とジョイント部とを接続してもよい。このように、雄側継手部および雌側継手部の対向する面に硬化層が設けられているため、圧入等による接続部分の変形を防ぐことができる。
【００５３】
ダクト本体部８０およびジョイント部９０は、図９に示すように、一体に形成してもよい。この場合、少なくともジョイント部９０の加湿ホース連結部９２の加湿ホース４と対向する外面９５に、図８に示すような硬化層９７が設けられていればよい。
【００５４】
ダクト本体部８０およびジョイント部９０は、発泡断熱材から形成される場合に限らず、樹脂材等の発泡断熱材以外の材料で構成することができる。例えば、ダクト本体部が発泡断熱材で形成され、ジョイント部が発泡断熱材以外の材料で形成されている場合、ダクト本体部の雄側継手部のジョイント部の雌側継手部に対向する第１の面に、硬化層が設けられていればよい。また、ダクト本体部が発泡断熱材以外の材料で形成され、ジョイント部が発泡断熱材で形成されている場合、ジョイント部の雌側継手部のダクト本体部の雄側継手部に対向する第２の面、および、ジョイント部の加湿ホース連結部の加湿ホースに対向する第３の面の少なくともいずれかに、硬化層が設けられていればよい。
【００５５】
室内機側加湿ダクト５１および室外機側加湿ダクト５２は、ポリプロピレン、ポリエチレン、ポリスチレンのうちのいずれか１つの材料からなる発泡断熱材、または、ポリプロピレン、ポリエチレン、ポリスチレンのうちの少なくとも２つの混合材料からなる場合に限らず、他の材料からなる発泡断熱材で形成することができる。
【００５６】
ダクト本体部８０およびジョイント部９０の形状および構造は、上記実施形態に限らず、加湿ダクトの設計等に応じて、任意に変更できる。例えば、ダクト本体部に雌側継手部を設け、ジョイント部に雄側継手部を設けてもよい。
【００５７】
ジョイント部９０は、省略することができる。すなわち、ダクト本体部８０の雄側継手部８５に加湿ホース４を直接接続するようにしてもよい。
【００５８】
室内機側加湿ダクト５１および室外機側加湿ダクト５２は、それぞれ異なる構成を有するように形成することができる。例えば、発泡断熱材で形成されたダクト本体部と発泡断熱材以外の材料で形成されたジョイント部とを備えるように室内機側加湿ダクトを構成し、発泡断熱材以外の材料で形成されたダクト本体部と発泡断熱材で形成されたジョイント部とを備えるように室外機側加湿ダクトを構成してもよい。また、加湿ホースがジョイント部を介して間接的に接続されたダクト本体部を備えるように室内機側加湿ダクトを構成、加湿ホースが直接接続されたダクト本体部を備えるように室外機側加湿ダクトを構成してもよい。
【００５９】
上記実施形態で述べた各構成要素は、適宜、組み合わせてもよく、また、適宜、選択、置換、あるいは、削除してもよい。
【符号の説明】
【００６０】
１  室内機
１ａ  吸込口
１ｂ  吹出口
２  室外機
３  加湿装置
４  加湿ホース
５，６  冷媒配管
１０  室外ファン
１１  圧縮機
１２  四路切換弁
１３  室外熱交換器
１４  電動膨張弁
１５  室内熱交換器
１６  アキュムレータ
２０  室内ファン
２１  第１閉鎖弁
２２  第２閉鎖弁
３０  表示部
４１  吸湿ファン
４２  加湿ロータ
４２ａ  吸着領域
４２ｂ  脱着領域
４３  ヒータ
４４  ダンパ
４５  加湿ファン
４６  加湿ロータ駆動部
５１  室内機側加湿ダクト
５２  室外機側加湿ダクト
６１  第１の空気経路
６２  第２の空気経路
６３  第３の空気経路
７０  制御装置
８０  ダクト本体部
８１  第１流路部
８２  第２流路部
８３  第３流路部
８４  第４流路部
８５  雄側継手部
８５１  外面
８６  開口部
８７  硬化層
９０  ジョイント部
９１  雌側継手部
９１１  内面
９２  加湿ホース連結部
９３  湾曲部
９４  硬化層
９５  外面
９６  内面
９７  硬化層
１００  空気調和機
ＲＣ  冷媒回路
Ｔ１  室外熱交換器温度センサ
Ｔ２  外気温度センサ
Ｔ３  蒸発温度センサ
Ｔ４  室内熱交換器温度センサ
Ｔ５  室内温度センサ
Ｈ  湿度センサ
【図１】
2017083069.tif 000003
【図２】
2017083069.tif 000004
【図３】
2017083069.tif 000005
【図４】
2017083069.tif 000006
【図５】
2017083069.tif 000007
【図６】
2017083069.tif 000008
【図７】
2017083069.tif 000009
【図８】
2017083069.tif 000010
【図９】
2017083069.tif 000011